(57)【要約】【課題】画像表示装置上の画面拡大に連動してフォーカス操作感度を低下させ、拡大画面を見ながら違和感なく精度のよいフォーカス操作ができる撮像システムを提供する。【解決手段】拡大実行手段により拡大指示がされた際は、位置指示手段で指示した部分を、拡大率指示手段で指示された拡大率で拡大表示すると共に、フォーカス操作装置の操作感度を変更することを特徴とする撮像システム。【選択図】  図１
2012098327.tif 000002
【特許請求の範囲】
【請求項１】
レンズ装置と、カメラ装置と、カメラで撮影した画像を表示する表示装置と、操作感度の変更が可能な前記レンズ装置に接続されるフォーカス操作装置とで構成される撮像システムであって、前記表示装置画面上の任意位置を指示する位置指示手段と、前記表示装置の表示画像を前記位置指示手段により指定された部分を拡大表示する際に拡大率を指示する拡大指示手段と、拡大表示を実施する拡大実行手段とを有し、前記拡大実行手段により拡大指示がされた際は、前記位置指示手段で指示した部分を、前記拡大率指示手段で指示された拡大率で拡大表示すると、共に、前記フォーカス操作装置の操作感度を変更することを特徴とする撮像システム。
【請求項２】
前記指定した周辺の画面拡大率と前記操作感度は連動して変更される事を特徴とする請求項１に記載の撮像システム。
【請求項３】
前記画面の拡大率を上げると前記操作感度を低くすることを特徴とする請求項２に記載の撮像システム。
【請求項４】
前記操作感度を低くすると前期画面の拡大率を上げることを特徴とする請求項２に記載の撮像システム。
【請求項５】
前記拡大された画面とそれ以外画面とで異なる輝度信号で表示することを特徴とする請求項１乃至４のいずれか１項に記載の撮像システム。
【請求項６】
前記拡大される画面の拡大表示方法は固定された拡大枠内の画面だけが拡大する方法と、拡大枠と拡大枠内の画面が同じ割合で拡大する方法とを選択する手段を持つことを特徴とした請求項１乃至５のいずれか１項に記載の撮像システム。
【請求項７】
前記拡大する拡大倍率はレンズの焦点距離または、被写体のコントラストを加味して決定されることを特徴とした請求項１乃至６のいずれか１項に記載の撮像システム。
【請求項８】
前記拡大位置指示手段とオートフォーカス時のオートフォーカス枠位置を設定する設定位置手段とを共有化したことを特徴とする請求項１乃至７のいずれか１項に記載の撮像システム。
【請求項９】
請求項１乃至８記載のいずれか１項に記載の撮像システムを構成することを特徴とするレンズ装置
【発明の詳細な説明】
【技術分野】
【０００１】
本発明は、レンズとカメラとカメラで撮影した画像を表示する画像表示装置とレンズのフォーカス操作を行うフォーカス操作装置にて構成される撮影システム装置に関する。
【背景技術】
【０００２】
高解像度の撮影（ハイビジョン撮影）においてカメラのビューファインダやモニターの画面サイズが小さい場合や、画面の解像度が低い場合には、画面を見ながらのフォーカスデマンドによるピント合わせが困難になるという問題点がある。
【０００３】
このような問題を解決するために特許文献１ではレンズの種類（倍率）や焦点距離に応じてフォーカスデマンドの感度を変更する提案や、特許文献２ではオートフォ−カスとパワーフォーカス（電動式のマニュアルフォーカス機能）の切換え可能で、表示部にマニュアルフォーカス時は前記表示部にオートフォーカス時に対して前記所定の倍率で拡大された被写体の動画を表示する制御手段を備えた、ことを特徴とする電子的撮像装置が提案がされている。
【先行技術文献】
【特許文献】
【０００４】
【特許文献１】特開平１１−３４１３３１号公報
【特許文献２】特開２００２−２８１３７１号公報
【発明の概要】
【発明が解決しようとする課題】
【０００５】
特許文献１ではレンズの種類（倍率）や焦点距離に応じてフォーカスデマンドの感度を変更する提案である。また特許文献２ではオートフォ−カスとパワーフォーカス（電動式のマニュアルフォーカス機能）の切換え可能な撮像装置においてパワーフォーカスに切換えた時に所定の倍率で拡大して被写体の動画を表示する提案である。（特許文献１）ではフォーカスデマンドの操作感度が変更されてもモニターが小さい場合や遠目からモニターを見ていて画面が小さく見える場合など画面上の焦点状態が良く見えないためピント合わせは困難である。
【０００６】
また特許文献２では画面を拡大した際に、マュアルフォーカスの操作感度を変更しないためにモニタ上の焦点状態の確認は容易になる一方で操作感度が変わらないため、画面の大きさに対してマニュアルフォーカスの操作感度が高くなった状態と同じになるため、ピント合わせが敏感になり非常に合わせにくくなる。
【０００７】
そこで、本発明の例示的な目的は、画像表示装置上の画面拡大に連動してフォーカス操作感度を低下させ、拡大画面を見ながら違和感なく精度のよいフォーカス操作ができるようにする
撮像システム装置を提供することにある。
【課題を解決するための手段】
【０００８】
上記目的を達成するために、本発明の撮影システム装置は、レンズ装置と、カメラ装置と、カメラで撮影した画像を表示する表示装置と、操作感度の変更が可能な前記レンズ装置に接続されるフォーカス操作装置とで構成される撮像システムであって、
前記表示装置画面上の任意位置を指示する位置指示手段と、前記表示装置の表示画像を前記位置指示手段により指定された部分を拡大表示する際に、拡大率を指示する拡大指示手段と、拡大表示を実施する拡大実行手段とを有し、前記拡大実行手段により拡大指示がされた際は、前記位置指示手段で指示した部分を、前記拡大率指示手段で指示された拡大率で拡大表示すると、共に、前記フォーカス操作装置の操作感度を変更することを特徴とする撮像システム。
【０００９】
本発明の更なる目的又はその他の特徴は、以下、添付の図面を参照して説明される好ましい実施形態等によって明らかにされるであろう。
【発明の効果】
【００１０】
本発明によれば、画像表示装置上の画面拡大に連動してフォーカス操作感度が変更されるため、ユーザは拡大画面を見ながら違和感なく精度のよいフォーカス操作を実現できる効果が得られる。
【図面の簡単な説明】
【００１１】
【図１】本発明の第１の実施形態である撮影システムの構成を示すブロック図である。
【図２】モニタ−画面に画面拡大位置が出ている画面（競馬中継を撮影している画像）
【図３】画面拡大位置を移動した画面
【図４】フォーカスデマンドおよびスイッチ（拡大率変更部）
【図５】実際の運用時の画面表示を示す図
【図６】拡大画面１
【図７】拡大画面２
【図８】フォーカス操作感度の変化
【図９】画面拡大表示方法その２
【図１０】第１の実施形態における画面拡大とフォーカス操作感度の切換え制御を示すフローチャート
【図１１】第２の実施形態のフォーカスデマンドおよびボリューム（操作感度変更部）
【図１２】第２の実施形態のフォーカス操作感度の変化
【図１３】第２の実施形態における画面拡大とフォーカス操作感度の切換え制御を示すフローチャート
【発明を実施するための形態】
【００１２】
以下に、本発明の実施の形態を添付の図面に基づいて詳細に説明する。
【００１３】
《第１の実施形態》
図１は本発明の第１の実施形態である撮影システムの構成を示すブロック図である。図１には、本発明の第１の実施形態である撮影システムの構成を示している。該撮影システムは、レンズ装置１と動画撮影用カメラ２とフォーカス操作装置３００により構成されている。レンズ装置１は、カメラ２に対して着脱（交換）が可能である。またフォーカス操作装置３００はレンズ装置１に対して着脱が可能である。
【００１４】
カメラ２において、２０１はＣＣＤセンサやＣＭＯＳセンサ等により構成される撮像素子（以下、ＣＣＤという）である。レンズ装置１において、１０１はレンズ鏡筒１０１であり、該レンズ鏡筒１０１は、不図示のフォーカスレンズ、変倍レンズ及びアイリス等の光学調節部材を含む光学系を内蔵している。この光学系は、フォーカスレンズが該光学系のうち最も被写体側に配置された、いわゆる前玉フォーカスタイプの光学系である。
【００１５】
レンズ鏡筒１０１には、フォーカスモータ１１０からの駆動力をフォーカスレンズに伝達して該フォーカスレンズを光軸方向に移動させるフォーカス駆動リング１０２が設けられている。また、レンズ鏡筒１０１には、ズームモータ１１３からの駆動力を変倍レンズに伝達して該変倍レンズを光軸方向に移動させるズーム駆動リング１０３も設けられている。
【００１６】
また、レンズ制御部１０７は、フォーカス位置検出部１０８を通じて、フォーカス駆動リング１０２の回転位置、つまりはフォーカスレンズの位置を検出する。また、レンズ制御部１０７は、ズーム位置検出器１１１を通じて、ズーム駆動リング１０３の回転位置、つまりは変倍レンズの位置を検出する。またユーザにより操作される不図示のズーム操作部材（ズームスイッチ）からのズーム指令信号がレンズ制御部１０７に入力される。
【００１７】
レンズ制御部１０７は、該ズーム指令信号に応じて、ズームドライバ１１２を介してズームモータ１１３を駆動し、ズーム駆動リング１０３を回転させる。これにより、変倍レンズが移動し、サーボ制御によるズーム駆動が行われる。また、レンズ制御部１０７は、検出したフォーカスレンズと後述するフォーカス指令信号とに基づいて、フォーカスレンズの移動量を算出する。
【００１８】
そして、レンズ制御部１０７は、該算出された移動量だけフォーカスレンズが光軸方向に移動するように、フォーカスドライバ１０９を介してフォーカスモータ１１０を駆動し、フォーカス駆動リング１０２を回転させる。このフォーカス操作は、ユーザがフォーカス操作装置３００を操作して行うことでデマンド通信部３０７からのフォーカス指令信号がレンズ制御部１０７に入力されることによって行われる。
フォーカス操作装置３００のデマンド通信部３０７とデマンド制御部３０１はフォーカスＣＰＵ３０８に内蔵されている。
【００１９】
フォーカス操作装置３００において３０２はノブコントロールでありノブの位置情報をを、３０４はジョイスティックコントロール部でありジョイステックの位置情報を、３０３は拡大率変更部（拡大率変更スイッチ）であり  画面の拡大情報をデマンド制御部３０１に入力する。デマンド制御部３０１では、上述したジョイステックの位置情報、画面の拡大情報を取り込み、フォーカス指令信号と同時にデマンド通信部３０７からレンズ制御部１０７に入力する。
【００２０】
レンズ制御部１０７はフォーカス位置検出部１０８により検出された現在のフォーカスレンズ位置と、ズーム位置検出器１１１により検出された現在の変倍レンズ位置と、カメラ２の映像信号処理部２０２から映像情報を取り込む。レンズ制御部１０７ではレンズ位置から焦点距離情報と、映像情報からコントラス情報と、フォーカス操作装置３００内にある拡大変更部３０３からの拡大情報を元にして最適な画面の拡大率を算出する。この最適な拡大率とは、例えば焦点距離情報から、レンズのズーム位置がテレ側にあった場合は、画面の拡大率を通常よりも大きくして見やすくする。
【００２１】
またコントラスト情報の変化から、コントラストが高い場合は  被写体が合焦範囲内に入っていると判断し、必要以上な画面の拡大はせず画面を見やすくする。
【００２２】
次にレンズ制御部１０７からは前述した拡大率情報は、ジョイスティックコントロール部３０４からの位置情報と共にレンズ通信部１１６を介してカメラ通信部２０４に送る。また一方、レンズ側ではこの画面の拡大率情報に合わせフォーカス操作感度を変更してそのフォーカス操作感度に合った指令信号として、フォーカス指令信号としてフォーカスドライバ１０９に入力する。するとフォーカスモータ１１０が駆動されてフォーカス駆動リング１０２を回転し、フォーカス駆動が開始される。
【００２３】
また前述した操作感度の変更とは、画面の拡大率が大きい場合には、フォーカスの操作感度を大きく下げて、画面の拡大率が小さい場合は、フォーカスの操作感度を少しだけ下げて、画面の大きさとフォーカスの操作感度の感覚が常に一定になるようにフォーカス操作感度を変更することである。
【００２４】
レンズ制御部１０７はレンズ通信部１１６と映像信号処理部２０２に接続されている。レンズ通信部１１６は、カメラ２に設けられたカメラ通信部２０４とシリアル通信によるデータの送受信を行う。レンズ通信部１１６では、画面の拡大率情報とジョイステックの位置情報をカメラ通信部２０４に送信する。なお、レンズ制御部１０７とレンズ通信部１１６は、レンズＣＰＵ１３０内に構成されている。
【００２５】
カメラ２において、ＣＣＤ２０１から出力された信号は、映像信号処理部２０２に入力される。映像信号処理部２０２はレンズ制御部１０７に映像情報を出力すると同時に、ＣＣＤ２０１から出力された信号に対して各種処理を行い、撮影映像信号（撮影映像）を生成する。該撮影映像信号は、画像合成部（出力映像生成手段）２０３に出力される。
【００２６】
画像合成部２０３には、カメラ通信部２０４を介してレンズ装置１から入力された
画面の拡大率情報とジョイステックの位置情報が入力される。画像合成部２０３は、撮影映像信号に画面の拡大率情報と、ジョイステックの位置情報を合成して出力映像信号（出力映像）を生成する。具体的には、撮影映像の中に画面拡大位置（＋マークまたは枠マーク）の表示と撮影映像の一部の映像が拡大された画像情報を重畳した出力映像を生成する。出力映像信号は、表示部２０５や外部出力部分３０６に出力される。
【００２７】
映像信号処理部２０２、画像合成部２０３及びカメラ通信部２０４は、カメラＣＰＵ２１０内に構成されている。（図４）のスイッチ（拡大率変更部）に示すように、クリックの回数に合わせて画面の拡大率が段階的に変化する。この拡大率は前述したこの時フォーカスデマンドの操作感度は  画面が拡大すると下がり、画面が縮小されると上がるように作用する。またスイッチの方向やクリックの回数はユーザの好みに応じて変更できる。
【００２８】
次に撮影画面の拡大の方法とそれに連動して変化するフォーカス操作感度について説明する。図４はフォーカスデマンドを示している。同図において３０４はジョイスティックコントロール部であり、このジョイスティックコントロールの中央を押すと撮影映像の中に画面拡大位置が表示される。またジョイステックのレバーを操作すると前記画面拡大位置が自在に移動する。また拡大率変更部３０３（拡大率変更スイッチ）は下側にクリックすると画面が拡大され上側にクリックすると画面上の拡大率が下がるように構成されている。
【００２９】
図２はカメラのビューファインダまたは外部モニターの画面を示しており  その画面上に画面拡大位置が表示されている画面（競馬中継を撮影している画像）である。図３は画面拡大位置を移動した画面であり、ここでは画面右上の騎手に画面拡大位置を合わせた状態を示している。
【００３０】
実際の運用時は図５に拡大画面が表示された画面で示している。同図において画面拡大位置枠内の画面を拡大し、その拡大画面は画面拡大位置以外の場所に表示される。また同図の拡大表示方法は、拡大枠が一定で枠の中の画面の拡大率が変化する方法を示している。この時の画面拡大率は前述した焦点距離情報と、コントラス情報と拡大率変更部３０３からの画面の拡大情報から決定される。拡大率はコントラス情報が高いと必要以上の画面拡大はせず焦点距離が長い場合は拡大率を大きく変化する。また拡大率は自動で算出されるだけではなく予め設定した固定の拡大倍率で切換えても良い。
【００３１】
図６は拡大画面２を示している。同図は図５の拡大画面が表示された画面よりも更に拡大率を上げたものである。この拡大画面が表示されると同時に画面拡大位置が消える。すると画面拡大位置が邪魔にならず騎手の姿が図５よりも拡大されるため画面が見やすなる。さらに見やすくするため騎手の拡大画面とそれ以外の画面の輝度が異なるように画面を変更する。本図では拡大画面の輝度が高く、それ以外の画面領域が低い場合を示しているが、拡大画面をカラーとし、それ以外の画面領域は白黒としても良い。
【００３２】
図７は拡大画面２であり拡大率を図６の拡大画面１よりも上げて表示するため騎手の姿は更に画面上見やすくなっている。図８はフォーカス操作感度の変化を示した図である。縦軸は至近〜無限のレンズの移動量、横軸はフォーカスデマンドノブの回転角であり、グラフの傾きがフォーカス操作感度の状態を示している。同図において画面の非拡大時のフォーカスデマンドの操作感度は通常カーブのグラフＸで示している。
【００３３】
例えば画面の拡大率を図５の拡大画面が表示された画面→図６の拡大画面１→図７の拡大画面２と切換えていき、フォーカスの操作感度が通常のカーブのままだと、拡大された画面に対してフォーカス操作感度はどんどん高くなり、フォーカスデマンドの操作に違和感を感じてピント合わせが困難になる。
【００３４】
一方、本発明のように画面の拡大率の合わせてフォーカス操作感度を変化させると次のようになる。通常の画面から図５の拡大画面が表示された画面に切換ると、同時にフォーカス操作感度のグラフはグラフＸからグラスＡに変化して操作感度を下げる。このように画面の拡大率が上がるとフォーカス操作感度を下げて画面を見ながらのピント合わせを容易にしている。
【００３５】
次に拡大画面１（図６）の画面に切換ると、同時にフォーカス操作感度のグラフはグラフＡからグラスＢに変化してさらに操作感度を下げる。更に図７の拡大画面２の画面に切換えると同時にフォーカス操作感度のグラフはグラフＢからグラスＣに変化してさらに操作感度を下げる。
【００３６】
このように画面の拡大率が変化すると，フォーカスの操作感度を下げて、画面に対するフォーカスの操作感覚が同じになるようにピント合わせを快適に行えるようにしている。
【００３７】
図９の画面拡大表示方法その２を示している。同図の拡大表示方法は、図５の拡大画面が表示された画面で説明した異なり、拡大画面枠と拡大画面の拡大率が同じ割合で変化することを示している。この拡大方法ではモニターが小さい場合や遠目からモニターを見ていて画面が小さく見える場合においても拡大された画面を見ながらピントを合わすことは容易である。  また画面拡大率の変化に連動してフォーカス操作感度が変更される点は前述した内容と同じである。
【００３８】
図１０に実施形態１における画面拡大とフォーカス操作感度の切換え制御を示すフローチャートを示す。レンズＣＰＵ１３０は、これらの処理を、不図示のメモリに格納されたコンピュータプログラムに従って制御する。ジョイステック３０４の中央を押すと、ステップＳ１０１がＯＮされ、ＯＦＦならばスタートに戻る。ステップＳ１０１がＯＮされるとステップＳ１０２に進み撮影映像上に画面拡大位置を表示する。
【００３９】
次にステップＳ２００に進みＳＴ＿ＮＯを“０”にする。次にステップＳ２０３に進み、ステップＳ２０３では３０３の拡大率変更部がＯＮされれば次のステップＳ１０３に進み画面拡大位置を消す。一方  拡大変更部がＯＦＦになり、続けてジョイスティック３０４が操作されればステップＳ２０１に進みＳＴ＿ＮＯを＋１する。このステップＳ２０１では拡大スイッチを押す度に入力された回数が増えていく。
【００４０】
次にステップＳ１０４、Ｓ１０５と進みジョイステックの操作にあわせて画面拡大位置を移動する。ステップＳ１０６では画面拡大位置移動が完了するとステップＳ２０３に戻る。一方画面拡大位置移動が完了しない場合は  ステップＳ１０４に戻る。
ステップＳ１０３で画面拡大位置を消すとステップＳ２０２に進む。ステップＳ２０２からステップＳ１０９に進み拡大率の演算行ない拡大率を１段階上げる。また拡大率変更部（拡大率変更スイッチ）を下方向に２回クリックされるとＳＴ＿ＮＯには＋２が入力されて、ステップＳ１０７に進み、次にステップＳ１１０に進み拡大率の演算行ない拡大率を２段階上げる。
【００４１】
また下方向に３回クリックをすると前述したように  ステップＳ１０８からステップＳ１１１に進み拡大率を３段階上げる。次にこの状態から拡大率を下げる場合には  拡大率変更部（拡大率変更スイッチ）を上方向に１回クリックすると  ＳＴ＿ＮＯ  は＋２が入力されて拡大率を３段階から２段階に落とすように働く。
【００４２】
次にステップＳ１１２では前記算出した拡大率に応じて画面の拡大を行う。と次にステップＳ１１３で画面の輝度の変更を行なう。ステップＳ１１４では画面の拡大率に合わせてフォーカスの操作感度を変更しステップＳ１１５ではフォーカス操作感度が設定されたフォーカス指令信号に従ってフォーカスを駆動する。
【００４３】
本実施形態では拡大率変更スイッチで拡大する方向に３回クリックした場合を説明したがクリック回数は何回に設定しても良い。また誤って下方向のクリックを多くした場合など画面の拡大が思った以上に大きくなった場合は３０３のスイッチ（拡大率変更部）を上側にクリックすると画面は小さくなりフォーカスの操作感度は高くなるので迅速に元の状態に戻すことが可能である。
【００４４】
またユーザの好みに合わせてスイッチ（拡大率変更部）の上下方向と拡大率の上げ下げ方向は逆になっても良い。このように、本実施形態では、撮影中の撮影画面上でピントを合わせたい部分の画面を任意の拡大率で拡大することができ、それに連動してフォーカスデマンドの操作感度を下げることができるため  画像表示装置の性能に関係なくユーザは拡大画面を見ながら違和感の無い精度の高いフォーカス操作をすることができることが可能となる。
【００４５】
《第２の実施形態》
本発明の実施形態２について、図１１〜図１３を用いて説明する。第１の実施形態と同様に撮影映像中の画面拡大位置の移動はジョイスティックで行なうため説明は省略する。図１１は実施形態２のフォーカスデマンドであり、第１の実施形態と異なる点は３１０が操作感度変更部でありボリュームになっていることである。図１３のボリューム（操作感度変更部）は操作方法は左回しでフォーカスの操作感度は下がり右回しでフォーカスの操作感度は上がるように働く。
【００４６】
この操作感度の変化を示したものが（図１２）実施形態２のフォーカス操作感度の変化の図であり、同図においてボリュームを左に回した場合の操作感度の変化はグラフＥになり、右に回した場合の操作感度の変化はグラフＤになる。このグラフの曲線が示すように実施形態２ではフォーカスの操作感度が連続的に変化していくことが可能となる。更にフォーカス操作感度に対応して拡大倍率を自動設定することが可能となる。
【００４７】
例えばグラフＥの操作感度下がる方の変化に連動し撮影画面は実施形態１同様に
（図５）拡大画面が表示された画面→（図６）拡大画面１→（図７）拡大画面２と拡大表示されていくことになる。
【００４８】
次に（図１３）は実施形態２における画面拡大とフォーカス操作感度の切換え制御を示すフローチャートである。レンズＣＰＵ１３０は、これらの処理を、不図示のメモリに格納されたコンピュータプログラムに従って制御する。ステップＳ１０１、Ｓ１０２は実施形態１の図１０と同様なので説明を省略する。ステップＳ１２０では操作感度変更ＶＲの変化があればステップＳ１０３に進み画面拡大位置を消す。一方ジョイスティッが操作されればステップＳ１０３に進むが第１実施形態と同様の動作をするため省略する。
【００４９】
ステップＳ１１４ではフォーカスの操作感度を変更しステップＳ１２１では操作感度の変化に合わせて画面の拡大率を演算する。次にステップＳ１１２で画面拡大されると同時にステップＳ１１３で画面の輝度変更を行う。ステップＳ１１４では画面の拡大率に合わせてフォーカスの操作感度を変更しステップＳ１１５ではフォーカス操作感度が設定されたフォーカス指令信号に従ってフォーカスを操作する。
【００５０】
このように、実施形態２では、撮影中の撮影画面上でピントを合わせたい部分を指定しユーザが操作しやすいフォーカスデマンドの操作感度に調整を行うと、その感度にあった拡大画面がモニター上に表示されるため、ユーザ好みのフォーカス操作感度とその操作に合った拡大画面を見ながら違和感のないフォーカス操作をすることができることが可能となる。
【００５１】
《第３の実施形態》
本発明の第３の実施形態はＡＦエリアの大きさおよび位置を設定するＡＦエリア設定部を有し、前記ＡＦエリア設定部で選択されたエリアに合焦するＡＦのレンズシステムにおいて、この前記ＡＦエリアを画面拡大位置（＋マークまたは枠マーク）として使用する事を提案するものである。ＡＦ用フォーカス操作装置にはＡＦ枠の拡大率変更手段とＡＦ枠を任意に動かせるジョイステックが用意されているため実施形態１と同様に撮影映像中の画面拡大位置の表示そして移動は問題なく行なうことができる。よって実施形態１と同様に操作効果が得られるので説明は省略する。
【符号の説明】
【００５２】
１    レンズ装置
１０１  レンズ鏡筒
１０２  フォーカス駆動リング
１０３  ズーム駆動リング
１０７  レンズ制御部
１０８  フォーカス位置検出部
１０９  フォーカスドライバ
１１０  フォーカスモータ
１１１  ズーム位置検出部
１１２  ズームドライバ
１１６  レンズ通信部
１３０  レンズＣＰＵ
２      動画撮影用カメラ
２０１  撮像素子
２０２  映像信号処理部
２０３  画像合成部
２０４  カメラ通信部
２０５  表示部
２１０  カメラＣＰＵ
３０６  外部出力部
３００  フォーカス操作装置
３０１  デマンド制御部
３０２  ノブコントロール
３０３  拡大率変更部（拡大率変更スイッチ）
３０４  ジョイスティックコントロール部
３０７  デマンド通信部
３０８  デマンドＣＰＵ
３１０  ボリューム（操作感度変更部）
【図１】
2012098327.tif 000003
【図２】
2012098327.tif 000004
【図３】
2012098327.tif 000005
【図４】
2012098327.tif 000006
【図５】
2012098327.tif 000007
【図６】
2012098327.tif 000008
【図７】
2012098327.tif 000009
【図８】
2012098327.tif 000010
【図９】
2012098327.tif 000011
【図１０】
2012098327.tif 000012
【図１１】
2012098327.tif 000013
【図１２】
2012098327.tif 000014
【図１３】
2012098327.tif 000015